(57)【要約】【課題】より簡易に、聴取者の周囲の聴取環境に応じた音声を出力することができる音響装置を提供する。【解決手段】右側音声収音部は、音声出力部における、聴取者の右側の空間の音声を収音する位置に設けられ、音声を収音し右側収音信号へと変換する。左側音声収音部は、音声出力部における、聴取者の左側の空間の音声を収音する位置に設けられ、音声を収音し左側収音信号へと変換する。収音信号解析部は、右側収音音声信号と左側収音音声信号のどちらの音声信号のレベルの方が大きいかを判断する。音声処理部は、収音信号解析部による解析結果に基づいて、音声信号を処理する。【選択図】図１
2012244567.tif 000002
【特許請求の範囲】
【請求項１】
右チャンネルの音声信号に基づく音声を出力する右チャンネル音声出力部と、
左チャンネルの音声信号に基づく音声を出力する左チャンネル音声出力部と、
前記右チャンネル音声出力部及び前記左チャンネル音声出力部によって出力される音声を聴取する聴取者の右側の空間の音声を収音して右側収音信号に変換する右側音声収音部と、
前記聴取者の左側の空間の音声を収音して左側収音信号に変換する左側音声収音部と、
前記右側収音音声信号と前記左側収音音声信号とを比較し、いずれの音声信号のレベルの方が大きいか判断する収音信号解析部と、
前記収音信号解析部による比較結果に基づいて、前記右チャンネルの音声信号及び左チャンネルの音声信号を処理する音声処理部と、
前記右側音声収音部及び前記左側音声収音部を支持する筐体と
を備えることを特徴とする音響装置。
【請求項２】
前記右側音声収音部は、前記右チャンネル音声出力部及び前記左チャンネル音声出力部のうちの少なくとも一方に設けられ、
前記左側音声収音部は、前記右チャンネル音声出力部及び前記左チャンネル音声出力部のうちの少なくとも一方に設けられていることを特徴とする請求項１記載の音響装置。
【請求項３】
前記音声処理部は、前記収音信号解析部によって前記右側収音音声信号のレベルの方が前記左側収音音声信号のレベルよりも大きいと判断された場合に、前記右チャンネルの音声信号を、前記左チャンネルの音声信号を増幅する際の増幅率よりも大きい増幅率で増幅することを特徴とする請求項１又は２に記載の音響装置。
【請求項４】
前記音声処理部は、前記収音信号解析部によって前記左側収音音声信号のレベルの方が前記右側収音音声信号のレベルよりも大きいと判断された場合に、前記左チャンネルの音声信号を、前記右チャンネルの音声信号を増幅する際の増幅率よりも大きい増幅率で増幅することを特徴とする請求項１〜３のいずれか１項に記載の音響装置。
【請求項５】
前記収音信号解析部は、前記右チャンネル音声出力部及び前記左チャンネル音声出力部が音声を出力しているか否かを判断し、前記右チャンネル音声出力部及び前記左チャンネル音声出力部が音声を出力していないときの前記右側収音音声信号と前記左側収音音声信号とを比較し、いずれの音声信号のレベルの方が大きいか判断することを特徴とする請求項１〜４のいずれか１項に記載の音響装置。
【請求項６】
音響装置において、
右チャンネルの音声信号に基づく音声を出力する右チャンネル音声出力部と、
左チャンネルの音声信号に基づく音声を出力する左チャンネル音声出力部と、
前記右チャンネル音声出力部及び前記左チャンネル音声出力部によって出力される音声を聴取する聴取者の右側の空間の音声を収音して右側収音信号に変換する右側音声収音部と、
前記聴取者の左側の空間の音声を収音して左側収音信号に変換する左側音声収音部と、
前記右側収音信号の所定の周波数帯域の周波数成分である右側所定周波数成分を抽出する右側周波数成分抽出部と、
前記左側収音信号の前記所定の周波数帯域の周波数成分である左側所定周波数成分を抽出する左側周波数成分抽出部と、
前記右側所定周波数成分と前記左側所定周波数成分とを比較し、いずれの周波数成分のレベルの方が大きいか判断する収音信号解析部と、
前記収音信号解析部による比較結果に基づいて、前記右チャンネルの音声信号及び左チャンネルの音声信号を処理する音声処理部と、
前記右側音声収音部及び前記左側音声収音部を支持する筐体と
を備えることを特徴とする音響装置。
【請求項７】
前記右側音声収音部は、前記右チャンネル音声出力部及び前記左チャンネル音声出力部のうちの少なくとも一方に設けられ、
前記左側音声収音部は、前記右チャンネル音声出力部及び前記左チャンネル音声出力部のうちの少なくとも一方に設けられていることを特徴とする請求項７記載の音響装置。
【請求項８】
前記音声処理部は、前記収音信号解析部によって前記右側所定周波数成分のレベルの方が前記左側所定周波数成分のレベルよりも大きいと判断された場合に、前記右チャンネルの音声信号における前記所定の周波数帯域の周波数成分を、前記左チャンネルの音声信号における前記所定の周波数帯域の周波数成分を増幅する際の増幅率よりも大きい増幅率で増幅することを特徴とする請求項６又は７記載の音響装置。
【請求項９】
前記音声処理部は、前記収音信号解析部によって前記左側所定周波数成分のレベルの方が前記右側所定周波数成分のレベルよりも大きいと判断された場合に、前記左チャンネルの音声信号における前記所定の周波数帯域の周波数成分を、前記右チャンネルの音声信号における前記所定の周波数帯域の周波数成分を増幅する際の増幅率よりも大きい増幅率で増幅することを特徴とする請求項６〜８のいずれか１項に記載の音響装置。
【請求項１０】
前記収音信号解析部は、前記右チャンネル音声出力部及び前記左チャンネル音声出力部が音声を出力しているか否かを判断し、前記右チャンネル音声出力部及び前記左チャンネル音声出力部が音声を出力していないときの前記右側所定周波数成分と前記左側所定周波数成分とを比較し、いずれの周波数成分のレベルの方が大きいか判断することを特徴とする請求項６〜９のいずれか１項に記載の音響装置。
【請求項１１】
音響装置において、
音声信号に基づく音声を出力する音声出力部と、
前記音声出力部によって出力される音声を聴取する聴取者の周囲の空間の音声を収音して収音信号に変換する音声収音部と、
前記収音音声信号を解析する収音信号解析部と、
前記収音信号解析部による解析結果に基づいて、前記音声信号を処理する音声処理部と、
前記音声収音部を支持する筐体と
を備えることを特徴とする音響装置。
【発明の詳細な説明】
【技術分野】
【０００１】
本発明は、聴取者の周囲の聴取環境に応じて音声を処理する音響装置に関する。
【背景技術】
【０００２】
特開平５−１５３７００（特許文献１）のように、聴取者の周囲の聴取環境に応じて、出力する音の音量等を調整する技術が知られている。しかしながら、既存の方法では、聴取者周囲の聴取環境を調べるための音声を出力したり、聴取者が聴取環境を調べるためのマイクを聴取位置にセットしたりする必要があった。
【先行技術文献】
【特許文献】
【０００３】
【特許文献１】特開平５−１５３７００号公報
【発明の概要】
【発明が解決しようとする課題】
【０００４】
本発明はこのような問題点に鑑みなされたものであり、より簡易に、聴取者の周囲の聴取環境に応じた音声を出力することができる音響装置を提供することを目的とする。
【課題を解決するための手段】
【０００５】
本発明は上述した従来の技術の課題を解決するため、右チャンネルの音声信号に基づく音声を出力する右チャンネル音声出力部と、左チャンネルの音声信号に基づく音声を出力する左チャンネル音声出力部と、前記右チャンネル音声出力部及び前記左チャンネル音声出力部のうちの少なくとも一方における、前記右チャンネル音声出力部及び前記左チャンネル音声出力部によって出力される音声を聴取する聴取者の右側の空間の音声を収音する位置に設けられ、前記聴取者の右側の空間の音声を収音し右側収音信号へと変換する右側音声収音部と、前記右チャンネル音声出力部及び前記左チャンネル音声出力部のうちの少なくとも一方における、前記聴取者の左側の空間の音声を収音する位置に設けられ、前記聴取者の左側の空間の音声を収音し左側収音信号へと変換する左側音声収音部と、前記右側収音音声信号と前記左側収音音声信号とを比較し、いずれの音声信号のレベルの方が大きいか判断する収音信号解析部と、前記収音信号解析部による比較結果に基づいて、前記右チャンネルの音声信号及び左チャンネルの音声信号を処理する音声処理部とを備えることを特徴とする音響装置を提供する。
また、本発明は上述した従来の技術の課題を解決するため、右チャンネルの音声信号に基づく音声を出力する右チャンネル音声出力部と、左チャンネルの音声信号に基づく音声を出力する左チャンネル音声出力部と、前記右チャンネル音声出力部及び前記左チャンネル音声出力部のうちの少なくとも一方における、前記右チャンネル音声出力部及び前記左チャンネル音声出力部によって出力される音声を聴取する聴取者の右側の空間の音声を収音する位置に設けられ、前記聴取者の右側の空間の音声を収音し右側収音信号へと変換する右側音声収音部と、前記右チャンネル音声出力部及び前記左チャンネル音声出力部のうちの少なくとも一方における、前記聴取者の左側の空間の音声を収音する位置に設けられ、前記聴取者の左側の空間の音声を収音し左側収音信号へと変換する左側音声収音部と、前記右側収音信号の所定の周波数帯域の周波数成分である右側所定周波数成分を抽出する右側周波数成分抽出部と、前記左側収音信号の前記所定の周波数帯域の周波数成分である左側所定周波数成分を抽出する左側周波数成分抽出部と、前記右側所定周波数成分と前記左側所定周波数成分とを比較し、いずれの周波数成分のレベルの方が大きいか判断する収音信号解析部と、前記収音信号解析部による比較結果に基づいて、前記右チャンネルの音声信号及び左チャンネルの音声信号を処理する音声処理部とを備えることを特徴とする音響装置を提供する。
また、本発明は上述した従来の技術の課題を解決するため、音声信号に基づく音声を出力する音声出力部と、前記音声出力部における、前記音声出力部によって出力される音声を聴取する聴取者の周囲の空間の音声を収音する位置に設けられ、前記聴取者の周囲の空間の音声を収音して収音信号へと変換する音声収音部と、前記収音音声信号を解析する収音信号解析部と、前記収音信号解析部による解析結果に基づいて、前記音声信号を処理する音声処理部とを備えることを特徴とする音響装置を提供する。
【発明の効果】
【０００６】
本発明の音響装置によれば、より簡易に、聴取者の周囲の聴取環境に応じた音声を出力することができる。
【図面の簡単な説明】
【０００７】
【図１】本発明の第１実施形態の音響装置１００を示すブロック図である。
【図２】本発明の右側音声収音部４Ｒ及び左側音声収音部４Ｌの設置方法について説明するための概略図である。
【図３】本発明の第１実施形態の音声処理部１及び収音信号解析部５の動作を説明するためのフローチャートである。
【図４】本発明の第２実施形態の音響装置２００を示すブロック図である。
【図５】本発明の第２実施形態の音声処理部１０及び収音信号解析部５０の動作を説明するためのフローチャートである。
【発明を実施するための形態】
【０００８】
以下、本発明の音響装置について、添付図面を参照して説明する。なお、以下の説明における各音声処理はデジタル信号処理で行ってもよいし、アナログ信号処理で行ってもよい。
【０００９】
＜第１実施形態＞
最初に、図１に示すブロック図を用いて、第１実施形態の音響装置１００について説明する。
再生処理部６は、記録媒体２に記録されている音声データを読み出し、その音声データをデコードする。そして、そのデコードしたデータにおける音声そのものに係る信号である音声信号を出力する。
なお、記憶媒体２を有さない構成にしてもよい。その場合、図示しない通信部を介して音声データを取得するようにしてもよい。また、記録媒体２の代わりに、光ディスクドライブやフラッシュメモリ再生装置などのメディア再生部を有する構成にしてもよい。
【００１０】
音声処理部１は、後述する収音信号解析部５による解析結果（比較結果）に応じて、再生処理部６が出力した音声信号を増幅したり、イコライジング処理を施したりして、その処理後の音声信号に基づく、右チャンネル（Ｒｃｈ）音声信号及び左チャンネル（Ｌｃｈ）音声信号を出力する。
そして、Ｒｃｈ音声出力部３ＲはＲｃｈ音声信号に基づく音声を出力し、Ｌｃｈ音声出力部３ＬはＬｃｈ音声信号に基づく音声を出力する。Ｒｃｈ音声出力部３Ｒ及びＬｃｈ音声出力部３Ｌは、例えばスピーカである。
【００１１】
次に、Ｒｃｈ音声出力部３Ｒ、Ｌｃｈ音声出力部３Ｌ、右側音声収音部４Ｒ、及び左側音声収音部４Ｌを水平面に置いたときの上面図である図２を用いて、右側音声収音部４Ｒ及び左側音声収音部４Ｌについて説明する。なお、以下の図２に係る説明において、外側とは、Ｒｃｈ音声出力部３Ｒの放音面の中心軸である軸３ＲＪを含む鉛直面と、左側音声収音部４Ｌの指向性の範囲の中心軸である軸３ＬＪを含む鉛直面との間の空間に向く方向を内側とした場合における外側である。また、右側及び左側とは聴取者Ｕから見た右側及び左側である。また、図２において、聴取者Ｕは聴取に適した位置でＲｃｈ音声出力部３Ｒ及びＬｃｈ音声出力部３Ｌから出力される音声を聴取しているものとする。
【００１２】
まず、図２（ａ）を用いて、右側音声収音部４Ｒ及び左側音声収音部４Ｌの設置方法の一例について説明する。
右側音声収音部４Ｒには、単一指向性を持ったマイクロフォン等を用いることができ、右側音声収音部４Ｒは、図２（ａ）に示すように、Ｒｃｈ音声出力部３Ｒに設置されている。そして、右側音声収音部４Ｒは、右側音声収音部４Ｒの指向性の範囲の中心軸である軸４ＲＪが、Ｒｃｈ音声出力部３Ｒの放音面の中心軸３ＲＪよりも、外側を向くようにして、支持されている。このように支持されることで、右側音声収音部４Ｒは、聴取者Ｕの右側の空間ＵＲの音声を収音し、その音声を電気信号（右側収音音声信号）へと変換する。なお、上から見たときに軸３ＲＪと軸４ＲＪとが一致（角度α１が０度）するように、右側音声収音部４Ｒを設置してもよい。
【００１３】
左側音声収音部４Ｌには、単一指向性を持ったマイクロフォン等を用いることができ、左側音声収音部４Ｌは、図２（ａ）に示すように、Ｌｃｈ音声出力部３Ｌに設置されている。そして、左側音声収音部４Ｌは、左側音声収音部４Ｌの指向性の範囲の中心軸である軸４ＬＪが、Ｌｃｈ音声出力部３Ｌの放音面の中心軸３ＬＪよりも、外側を向くようにして、支持されている。このように支持されることで、左側音声収音部４Ｌは、聴取者Ｕの左側の空間ＵＬの音声を収音し、その音声を電気信号（左側収音音声信号）へと変換する。なお、上から見たときに軸３ＬＪと軸４ＬＪとが一致（角度α２が０度）するように、左側音声収音部４Ｌを設置してもよい。
以上が、右側音声収音部４Ｒ及び左側音声収音部４Ｌの設置方法の一例である。
【００１４】
次に、図２（ｂ）を用いて、右側音声収音部４Ｒ及び左側音声収音部４Ｌの設置方法の他の例について説明する。
右側音声収音部４Ｒは、図２（ｂ）に示すように、Ｌｃｈ音声出力部３Ｌに設置されている。そして、右側音声収音部４Ｒは、右側音声収音部４Ｒの指向性の範囲の中心軸である軸４ＲＪが、Ｌｃｈ音声出力部３Ｌの放音面の中心軸３ＲＪよりも、内側を向くようにして、支持されている。このように支持されることで、右側音声収音部４Ｒは、聴取者Ｕの右側の空間ＵＲの音声を収音し、その音声を電気信号（右側収音音声信号）へと変換する。なお、例えば、ステレオ方式においては、聴取者ＵとＲｃｈ音声出力部３ＲとＬｃｈ音声出力部３Ｌとが正三角形になるような位置で、聴取者Ｕが聴取することが好ましいため、聴取者Ｕが適切な位置で聴取していることを想定して、上から見たときの軸３ＬＪと軸４ＲＪとの角度α４は、６０度以上であることが好ましい。
【００１５】
左側音声収音部４Ｌは、図２（ｂ）に示すように、Ｒｃｈ音声出力部３Ｒに設置されている。そして、左側音声収音部４Ｌは、左側音声収音部４Ｌの指向性の範囲の中心軸である軸４ＬＪが、Ｒｃｈ音声出力部３Ｒの放音面の中心軸３ＲＪよりも、内側を向くようにして、支持されている。このように支持されることで、左側音声収音部４Ｌは、聴取者Ｕの左側の空間ＵＬの音声を収音し、その音声を電気信号（左側収音音声信号）へと変換する。なお、前述のように、ステレオ方式においては、聴取者ＵとＲｃｈ音声出力部３ＲとＬｃｈ音声出力部３Ｌとが正三角形になるような位置で、聴取者Ｕが聴取することが好ましいため、聴取者Ｕが適切な位置で聴取していることを想定して、上から見たときの軸３ＲＪと軸４ＬＪとの角度α３は、６０度以上であることが好ましい。
以上が、右側音声収音部４Ｒ及び左側音声収音部４Ｌの設置方法の他の例である。
【００１６】
図２を用いて説明した通り、右側音声収音部４Ｒ及び左側音声収音部４Ｌを、Ｒｃｈ音声出力部３Ｒ及びＬｃｈ音声出力部３Ｌのいずれかに設けているため、聴取者Ｕの右側の空間ＵＲの音声と、聴取者Ｕの左側の空間ＵＬの音声とを容易に周音することができる。また、図２（ａ）に示す右側音声収音部４Ｒ及び左側音声収音部４Ｌと、図２（ｂ）に示す右側音声収音部４Ｒ及び左側音声収音部４Ｌとを合わせた合計四つの音声収音部を用いてもよい。また、右側音声収音部４Ｒ及び左側音声収音部４Ｌの両方を、Ｒｃｈ音声出力部３Ｒ及びＬｃｈ音声出力部３Ｌのいずれかのみに設けるような構成にしてもよい。
また、図２において、軸４ＲＪと軸４ＬＪとは同一平面にあることが好まく、また、軸３ＲＪと軸３ＬＪとは同一平面にあることが好ましい。
また、各部を一体的に構成した場合、右側音声収音部４Ｒ及び左側音声収音部４Ｌは、必ずしも、Ｒｃｈ音声出力部３Ｒ及びＬｃｈ音声出力部３Ｌのいずれかに設けなくてもよく、音響装置１００の筐体（右側音声収音部４Ｒ及び左側音声収音部４Ｌの筐体を含む）のどこかに設ければよい。つまり、筐体は、Ｒｃｈ音声出力部３Ｒ及びＬｃｈ音声出力部３Ｌに対して相対的に位置が固定される箇所で、右側音声収音部４Ｒ及び左側音声収音部４Ｌを支持すればよい。なお、ここでいう筐体とは、スピーカそのものや、スピーカフレーム、スピーカネットなどの外部に露出している部分を含むものである。
【００１７】
図１の説明に戻り、収音信号解析部５は、右側音声収音部４Ｒで収音された右側収音音声信号と、左側音声収音部４Ｌで収音された左側収音音声信号とを比較し、どちらのレベルの方が大きいかを判断する。そして、前述のように、音声処理部１は、収音信号解析部５による解析結果に応じて、再生処理部６が出力した音声信号を増幅したり、イコライジング処理を施したりして、Ｒｃｈ音声信号及びＬｃｈ音声信号を出力する。なお、本実施形態において、イコライザ部１ｂは省略可能である。
【００１８】
以下、図３を用いて、収音信号解析部５及び音声処理部１の動作について、詳細に説明する。
ステップＳ１にて、収音信号解析部５は、Ｒｃｈ音声出力部３Ｒ及びＬｃｈ音声出力部３Ｌが、音声を出力中であるか否かを判断する。これは、音声処理部１や再生処理部６が出力する音声信号のレベルを検出して判断してもよいし、単に、再生動作を行っているか否かで判断してもよい。このステップＳ１の処理により、Ｒｃｈ音声出力部３Ｒ及びＬｃｈ音声出力部３Ｌから出力される音声の影響を排除できる。ただし、収音信号解析部５が、Ｒｃｈ音声出力部３Ｒ及びＬｃｈ音声出力部３Ｌが出力している音声の影響をキャンセルできる、ノイズキャンセル機能などで用いられるような周知の機能を有していれば、このステップＳ１は省略してもよい。
【００１９】
ステップＳ１にて音声出力中であると判断した場合（Ｙｅｓ）、ステップＳ１を繰り返し、音声出力中であるか否かの判断を続ける。
ステップＳ１にて音声出力中ではないと判断した場合（Ｎｏ）、次のステップＳ２にて、収音信号解析部５は、右側収音音声信号と、左側収音音声信号とではどちらのレベルが大きいかを判断する。なお、ここでいうレベルとは、一定時間における最大値でもよいし、平均値でもよい。
ステップＳ２にて左側音声収音部４Ｌで変換した左側収音音声信号のレベルの方が大きいと判断した場合（左側）、次のステップＳ３にて、音声処理部１は、Ｌｃｈ音声信号の増幅率を、Ｒｃｈ音声信号の増幅率よりも大きくする。そして、その増幅率で音声信号を増幅して出力する。
【００２０】
一方、ステップＳ２にて右側音声収音部４Ｒで変換した右側収音音声信号のレベルの方が大きいと判断した場合（右側）、次のステップＳ４にて、音声処理部１は、Ｒｃｈ音声信号の増幅率を、Ｌｃｈ音声信号の増幅率よりも大きくする。そして、その増幅率で音声信号を増幅して出力する。
以上のような処理を行うことで、例えば、聴取者Ｕの右側の空間ＵＲで騒音等が発生した場合に、音声処理部１は、Ｒｃｈ音声信号の増幅率を、Ｌｃｈ音声信号の増幅率よりも大きくするため、Ｒｃｈ音声信号が聞き取り易くなる。
【００２１】
なお、Ｒｃｈ音声信号の増幅率と、Ｌｃｈ音声信号の増幅率との差（又は比）が一定以上になった場合は、増幅率の変更を終了させるようにすればよい。この増幅率の変更を終了する基準は、聴取者Ｕが、Ｒｃｈ音声出力部３Ｒから出力される音声と、Ｌｃｈ音声出力部３Ｌから出力される音声とをほぼ同等に聞くことができるような基準であり、右側収音音声信号のレベルと右側収音音声信号のレベルとの差（又は比）に応じて決定され、当業者であれば、適宜設定可能である。
また、右側収音音声信号のレベルと左側収音音声信号のレベルとが等しいときは、それぞれの増幅率も等しくすればよい。
以上説明したように、本実施形態の音響装置１００によれば、各音声収音部４Ｒ，４Ｌを音響装置の筐体に設けているため、聴取者Ｕがマイクの位置を決めることなしに、より簡易に、聴取者の周囲の聴取環境に応じた音声を出力することができる。
【００２２】
＜第２実施形態＞
以下、図４及び図５を用いて、第２実施形態の音響装置２００について説明する。なお、第１実施形態と同様な構成の説明は省略する。また、第１実施形態と同様な構成には同様な符号を付す。
本実施形態の音響装置２００は、右側収音音声信号における所定の周波数帯域の周波数成分（以下、右側所定周波数成分と呼ぶ）と、左側収音音声信号における所定の周波数帯域の周波数成分（以下、左側所定周波数成分と呼ぶ）とを比較し、その解析結果に応じて、音声処理を行うものである。以下、詳細に説明する。
【００２３】
右側周波数帯域抽出部７Ｒには、バンドパスフィルタ等を用いることができ、右側周波数帯域抽出部７Ｒは、右側収音音声信号から右側所定周波数成分を抽出する。なお、聴感上影響の大きい１ｋＨｚ付近の周波数成分を抽出するようにしてもよいし、複数の周波数帯域毎に周波数成分を抽出してもよい。
左側周波数帯域抽出部７Ｌについても、バンドパスフィルタ等を用いることができ、左側周波数帯域抽出部７Ｌは、左側収音音声信号から左側所定周波数成分を抽出する。なお、右側周波数帯域抽出部７Ｒと同様に、聴感上影響の大きい１ｋＨｚ付近の周波数成分を抽出するようにしてもよいし、複数の周波数帯域毎に周波数成分を抽出してもよい。ただし、右側周波数帯域抽出部７Ｒと同様な周波数帯域の周波数成分を抽出するものとする。
【００２４】
次に、図５を用いて、本実施形態における、収音信号解析部５０及び音声処理部１０の動作について、詳細に説明する。なお、ステップＳ１については、第１実施形態と同様であるので、説明を省略する。
ステップＳ１にて音声出力中ではないと判断した場合（Ｎｏ）、次のステップＳ２０にて、収音信号解析部５０は、右側所定周波数成分のレベルと左側所定周波数成分のレベルとを比較し、どちらのレベルが大きいかを判断する。なお、ここでいうレベルとは、一定時間における最大値でもよいし、平均値でもよい。
【００２５】
ステップＳ２０にて左側所定周波数成分のレベルの方が大きいと判断した場合（左側）、次のステップＳ３０にて、音声処理部１は、Ｌｃｈ音声信号における比較された周波数帯域（所定の周波数帯域）の増幅率を、Ｒｃｈ音声信号における比較された周波数帯域の増幅率よりも大きくするようイコライジングする。
【００２６】
一方、ステップＳ２０にて右側所定周波数成分のレベルの方が大きいと判断した場合（右側）、次のステップＳ４０にて、音声処理部１は、Ｒｃｈ音声信号における比較された周波数帯域の増幅率を、Ｌｃｈ音声信号における比較された周波数帯域の増幅率よりも大きくするようイコライジングする。
なお、右側周波数帯域抽出部７Ｒ及び左側周波数帯域抽出部７Ｌが、複数の周波数帯域毎に周波数成分を抽出するように構成した場合、その複数の周波数帯域毎に上述の処理を行う。このように複数の周波数帯域毎に周波数成分のレベルの比較を行い、その比較結果に応じてイコライジングするようにすれば、聴取者の周囲の聴取環境に更に適した音声を出力することができる。
【００２７】
以上のような処理を行うことで、例えば、聴取者Ｕの右側の空間ＵＲにおいて、所定の周波数帯域の騒音等が発生した場合に、音声処理部１は、Ｒｃｈ音声信号の所定の周波数帯域における増幅率を、Ｌｃｈ音声信号の所定の周波数帯域における増幅率よりも大きくするため、Ｒｃｈ音声信号が聞き取り易くなる。また、周波数帯域毎に処理を行うため、Ｒｃｈ音声信号とＬｃｈ音声信号との聴感上の差が大きくならずに済む。
【００２８】
なお、Ｒｃｈ音声信号の増幅率と、Ｌｃｈ音声信号の増幅率との差（又は比）が一定以上になった場合は、増幅率の変更を終了させるようにすればよい。この増幅率の変更を終了する基準は、聴取者Ｕが、Ｒｃｈ音声出力部３Ｒから出力される音声と、Ｌｃｈ音声出力部３Ｌから出力される音声とをほぼ同等に聞くことができるような基準であり、右側所定周波数成分のレベルと左側所定周波数成分のレベルとの差（又は比）に応じて決定される。当業者であれば、ラウドネス曲線等を参考にして適宜設定可能である。また、右側所定周波数成分のレベルと左側所定周波数成分のレベルとが等しいときは、Ｒｃｈ音声信号及びＬｃｈ音声信号それぞれの所定の周波数帯域における増幅率も等しくすればよい。
【００２９】
以上、設明したように、各実施形態の音響装置によれば、各音声収音部４Ｒ，４Ｌを音響装置の筐体に設けているため、聴取者がマイクの位置を決めることなしに、より簡易に、聴取者の周囲の聴取環境に応じた音声を出力することができる。
【００３０】
なお、本発明は各部の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【００３１】
また、本発明は以上説明した各実施形態に限定されることはなく、本発明の要旨を逸脱しない範囲において種々変更が可能である。
例えば、右側音声収音部４Ｒ及び左側音声収音部４Ｌの両方を、Ｒｃｈ音声出力部３Ｒ及びＬｃｈ音声出力部３Ｌのいずれか一方だけに設けてもよい。また、右側音声収音部４Ｒ及び左側音声収音部４Ｌの両方を、Ｒｃｈ音声出力部３Ｒ及びＬｃｈ音声出力部３Ｌのそれぞれに設けてもよい。当業者であれば、このような構成を本発明の各実施形態に基づいて実施可能である。
【００３２】
また、音声出力部及び音声収音部を一つしか持たない音響装置にも適用可能である。そのような構成にした場合、音声収音部は、音声出力部における、音声出力部によって出力される音声を聴取する聴取者の周囲の空間の音声を収音する位置に設けられる。具体的に、音声収音部は、上から見たときの、音声収音部の指向性の範囲の中心軸と、音声出力部の放音面の中心軸とがほぼ一致する位置に設けられることが好ましい。そして、収音信号解析部５は、所定の閾値と、音声収音部が収音した収音音声信号のレベルとを比較する。そして、再生処理部６は、収音した収音音声信号のレベルが所定の閾値よりも大きい場合に増幅率を大きくし、収音音声信号のレベルが所定の閾値よりも小さい場合に増幅率を小さくする。
また、５．１ｃｈの音響装置にも適用可能であり、当業者であれば、そのような構成を本発明の各実施形態に基づいて実施可能である。また、各部を一体的に構成してもよいし、別体に構成してもよい。また、各音声収音部４Ｒ，４Ｌは、周知の種々の着脱構造を用いて、それぞれの音声出力部３Ｒ，３Ｌに対して着脱可能に構成されてもよい。また、音声収音部は、音声信号のチャンネル数より多くてもよい。また、本発明は車載用の音響装置にも応用可能であり、道路の騒音等に応じた音声を出力することができる。
【符号の説明】
【００３３】
１００，２００  音響装置
１，１０  音声処理部
３Ｒ  Ｒｃｈ音声出力部
３Ｌ  Ｌｃｈ音声出力部
４Ｒ  右側音声収音部
４Ｌ  左側音声収音部
５，５０  収音信号解析部
６  再生処理部
７Ｒ  右側周波数帯域抽出部
７Ｌ  左側周波数帯域抽出部
【図１】
2012244567.tif 000003
【図２】
2012244567.tif 000004
【図３】
2012244567.tif 000005
【図４】
2012244567.tif 000006
【図５】
2012244567.tif 000007